(57)【要約】【課題】クイックページメッセージに含まれるページ毎のページ表示の数を設定するための装置を提供すること。【解決手段】通信ネットワークで、第一のページメッセージの中に含まれるべきページ毎のページ表示のページ表示カウントを選択する装置であって、該装置は、該通信ネットワークの通信活動入力インディシアを識別するように構成された通信活動入力インディシア識別子と；該通信活動入力インディシアの該通信活動入力インディシア識別子による識別の表示を受信するように適合されたページ表示カウントセッタであって、該ページ表示カウントセッタは、該第一のページメッセージの中の該ページ表示カウントを選択するように構成され、選択は、その一部において、該通信活動入力インディシアに応答する該ページ表示カウントセッタによってなされるページ表示カウントセッタとを備える、装置。【選択図】図１
2008054316.tif 000002
【特許請求の範囲】
【請求項１】
通信ネットワークで、第一のページメッセージの中に含まれるべきページ毎のページ表示のページ表示カウントを選択する装置であって、該装置は、
該通信ネットワークの通信活動入力インディシアを識別するように構成された通信活動入力インディシア識別子と、
該通信活動入力インディシアの該通信活動入力インディシア識別子による識別の表示を受信するように適合されたページ表示カウントセッタであって、該ページ表示カウントセッタは、該第一のページメッセージの中の該ページ表示カウントを選択するように構成され、選択は、その一部において、該通信活動入力インディシアに応答する該ページ表示カウントセッタによってなされる、ページ表示カウントセッタと
を備える、装置。
【請求項２】
前記通信活動入力インディシアは、前記通信ネットワークの中のページング活動を定量化する量を備える、請求項１に記載の装置。
【請求項３】
前記通信ネットワークの中の前記ページング活動を定量化する前記量は、選択された期間内に、前記通信ネットワークによって放送されるべきアクセス端末ページの数を代表する値を備える、請求項２に記載の装置。
【請求項４】
前記通信活動入力インディシアの前記通信活動入力インディシア識別子による識別の表示を受信するように適合されたページ表示量セレクタであって、該ページ表示量セレクタは、前記第一のページメッセージの中に含まれるページ表示の量を選択するように構成され、該ページ表示の量は、該通信活動入力インディシアに関連する該ページ表示量セレクタによって選択される、ページ表示量セレクタをさらに備える、請求項１に記載の装置。
【請求項５】
前記第一のページメッセージは、ページ表示ロケーションの選択された数によって規定される選択されたメッセージ長さであり、
前記ページ表示カウントセッタによって選択された前記ページ表示カウントは、前記第一のページメッセージの該選択されたメッセージ長さに、さらに応答する、請求項１に記載の装置。
【請求項６】
前記第一のページメッセージの前記選択されたメッセージ長さを識別するように構成されたメッセージ長さ識別子をさらに備える、請求項５に記載の装置。
【請求項７】
前記メッセージ長さ識別子によって識別された前記選択されたメッセージ長さは、設定値を備える、請求項６に記載の装置。
【請求項８】
前記ページ表示カウントセッタは、計算を実行する計算機を備え、その結果は、前記ページ表示カウントを選択するために使用される、請求項１に記載の装置。
【請求項９】
前記計算機によって実行された計算は、前記通信活動入力インディシアの代表的な１つの変数を含む複数の変数に対する反復演算を備える、請求項８に記載の装置。
【請求項１０】
前記ページ表示カウントセッタは、複数の格納された値を含むテーブルを含むように構成されたストレージエレメントを備え、該格納された値は、少なくとも前記通信活動入力インディシアおよび利用可能なページ表示カウントの代表の観点から、インデックスされる、請求項１に記載の装置。
【請求項１１】
前記ページ表示カウントセッタによる前記表示カウントの選択は、前記第一のページメッセージの通信に従って、誤ったウェークアップの発生を最小化するようになされる、請求項１に記載の装置。
【請求項１２】
前記ページ表示カウントを代表する値を含む送信メッセージを生成するように構成されたページ表示カウントメッセージ生成器をさらに備える、請求項１１に記載の装置。
【請求項１３】
前記ページ表示カウントメッセージによって生成された送信メッセージは、前記第一のページメッセージの一部を備える、請求項１２に記載の装置。
【請求項１４】
前記ページ表示カウントセッタによってなされる選択は、前記通信活動入力インディシアを代表する値にのみ依存する、請求項１に記載の装置。
【請求項１５】
通信ネットワークで、第一のページメッセージの中に含まれるべきページ毎のページ表示のページ表示カウントを選択する方法であって、該方法は、
該通信ネットワークの通信活動入力インディシアを識別する動作と、
該第一のページメッセージの中の該ページ表示カウントを選択する動作であって、選択は、その一部において、該識別する動作の間に識別された該通信活動入力インディシアに応答する、動作と
を包含する、方法。
【請求項１６】
前記識別する動作の間に識別された前記通信活動入力インディシアは、選択された期間内に、前記通信ネットワークによって放送されるべきアクセス端末ページの数を代表する値を備える、請求項１５に記載の方法。
【請求項１７】
前記第一のページメッセージは、ページ表示ロケーションの選択された数によって規定される選択されたメッセージ長さであり、前記選択する動作の間に、選択された前記ページ表示カウントは、該選択されたメッセージ長さに、さらに応答する、請求項１５に記載の方法。
【請求項１８】
前記選択する動作は、前記第一のページメッセージの通信に従って、誤ったウェークアップの発生を最小化するように、前記ページ表示カウントを選択する、請求項１５に記載の方法。
【請求項１９】
送信メッセージを生成する動作であって、該送信メッセージは、前記選択する動作の間に、選択された前記ページ表示カウントの代表を含む、動作をさらに包含する、請求項１５に記載の方法。
【発明の詳細な説明】
【技術分野】
【０００１】
本発明は、一般的に、無線通信システムのアクセス端末にページングして、そのアクセス端末に、保留中のコールまたは他の通信があることを警告する方法に関する。より具体的には、本発明は、ページングチャネルに送信されるクイックページメッセージに含まれるページ毎にページ表示の数の設定を提供するための装置および関連方法に関する。ページ表示の数は、アクセス端末の誤ったウェークアップが発生する可能性を最小化するような方法で選択される。アクセス端末の誤ったウェークアップの結果として電池が過度に消耗することは、避けられる。
【背景技術】
【０００２】
通信技術の進歩は、新たなタイプの通信システムと通信サービスとの開発および展開を可能にしてきた。セルラ電話と、これを介して利用可能な関連通信サービスは、多くの人々によって、一般に利用され、典型的には、ユーザに通信移動性を提供し、また、有線通信システムの使用が実用的でない、あるいは可能でないときにも、通信能力を提供する。
【０００３】
初期の世代のセルラ通信システムは、音声通信を主として提供し、限られたデータ通信サービスのみしか提供されなかったが、より新しい世代のシステムは、様々なデータ通信速度で、高速のデータ通信サービスをますます提供している。ＥＶ−ＤＯサービスを提供するセルラ通信システムのＣＤＭＡ２０００は、高速データサービスを提供する例示的なタイプの新世代セルラ通信システムである。通信を規定する動作の詳細およびプロトコル、ならびにシステムのデバイスの動作要求は、動作標準仕様に述べられている。ＣＤＭＡ２０００  ＥＶ−ＤＯ通信スキームの動作の様々な局面は、標準化されたままに留まり、既存の標準仕様における特定の部分は、改正が考慮される。様々な後続の世代の通信スキームもまた、標準化が進行中であり、さらにその他にも標準化されるべきことが企図されている。
【０００４】
例えば、標準仕様に対する改定は、アクセスネットワーク（ＡＮ）によってアクセス端末ページをアクセス端末（ＡＴ）に放送することによって利用可能なクイックページングチャネル（ＱＰＣＨ）を規定するＣＤＭＡ２０００  ＥＶ−ＤＯ仕様標準のリリースＢである。ＱＰＣＨは、業界公布３ＧＰＰ２  Ｃ２０−２００６０３２３−０１３Ｒ１および３ＧＰＰ２  Ｃ２０−２００６０３２３−００３Ｒ１で採択され、これは、３ＧＰＰ２  ｄｏｃｕｍｅｎｔ  Ｃ．Ｓ００２４−Ｂ  Ｖ１．０に公開されている。一般的に、ページは、アクセスネットワークによって、アクセス端末に放送され、そのアクセス端末に、保留中の通信があることを警告する。そして、このようにアクセス端末に警告することによって、そのアクセス端末は、通信の実施を可能にするためアクションを実行する。クイックページングチャネル上のページ表示放送は、アクセス端末の電池の電池消費を減らすことによって、アクセス端末の電池消費削減を容易にする方法で放送される。より長い電池寿命が提供されると、アクセス端末の電池が充電されなければならない速度は低下する。その結果、アクセス端末は、充電と充電との間、あるいは電池交換と電池交換との間に、より長い期間にわたって、動作可能となる。前述の公布は、アクセス端末によってモニタされる物理論理層上のページ表示を含むメッセージの放送を提供する。アクセス端末は、制御チャネルをモニタする前に、ＱＰＣＨをモニタして、ページメッセージのような通常の制御チャネルＭＡＣ（媒体アクセス制御）メッセージを受信する。クイックページメッセージは、クイックページ表示器を含むＱＰＣＨ上で、放送される。クイックページメッセージは、クイックページ表示器で、ポピュレートされた幾つかのクイックページ表示器スロットを含む。
【０００５】
動作の間、モバイル局は、セッションシード、すなわち、３２ビットの擬似乱数に基づいて、クイックページメッセージ内のクイックページ表示器ロケーション（すなわち、スロット）にハッシングする。アクセス端末がハッシングするクイックページ表示器スロットのクイックページ表示器が、そのアクセス端末がページングされていないと表示する場合、アクセス端末は、スリープ状態、節電状態に入り、この状態で、アクセス端末は、通常の制御チャネルＭＡＣメッセージを受信するためのレベルで、電力供給されないまま留まる。節電は、制御チャネルＭＡＣメッセージが、長く、複数の制御チャネルフレームまたはカプセルに及ぶ場合に、特に有意義である。
【０００６】
しかしながら、この既存のスキームにおいて、アクセス端末は、誤ったウェークアップの発生に影響を受けやすい。すなわち、アクセス端末は、スリープ状態に入らないが、むしろ、アクセス端末は、活性状態に入り、たとえ、そのアクセス端末に対するメッセージがなくても、通常制御チャネルＭＡＣメッセージを受信するために、通常制御チャネルをモニタする。なぜなら、通信システムは、マルチユーザシステムであるので、ページングされている別のアクセス端末が、同じページ表示スロットにハッシングされるそのページ表示を有する可能性があるからである。システム内でページングされるアクセス端末の数が増加するにつれて、誤ったウェークアップの発生する可能性が、それにともなって高くなる。
【０００７】
誤ったウェークアップの発生を低減する方法が提供され得ると、アクセス端末の電池寿命を改善することが可能になる。
【０００８】
本発明の著しい改善が進展したのは、アクセス端末のアクセスネットワークによるページングに関するこの背景情報に鑑みてのことである。
【発明の開示】
【課題を解決するための手段】
【０００９】
（詳細な説明）
本発明は、したがって、無線通信システムのアクセス端末にページングして、保留中のコールまたは他の通信があることをアクセス端末に警告することを円滑にする装置および関連する方法を有利に提供する。
【００１０】
本発明の一実施形態の動作によって、ＣＤＭＡ２０００  ＥＶ−ＤＯセルラ通信システムで規定されるＱＰＣＨ（クイックページングチャネル）上で生成され、送信されるクイックページメッセージのようなクイックページメッセージに含まれるページ毎にページの数を設定する方法が提供される。
【００１１】
ページ毎のページ表示の数の選択は、誤ったウェークアップが発生する確率を最もよく最小化するような方法でなされる。誤ったウェークアップの発生の可能性を低減することにより、誤ったウェークアップの結果として発生する過度の電池消耗は、より生じにくくなる。
【００１２】
本発明の一局面において、ページ毎のページ表示の数は、通信活動のパラメータと、選択された数のページ表示ロケーションのクイックページメッセージに対するページ毎のページ表示との様々な組み合わせに対し、誤ったウェークアップの確率の定量化を形成することによってなされる。様々な値の組み合わせの各々に対して実行される計算の結果は、比較される。誤ったウェークアップに関する最良の確率を示す値（すなわち、最小値）を提供する組み合わせは、クイックページメッセージにおいて用いられ得るページ毎にページ表示の数を設定するために用いられる。
【００１３】
処理デバイスによって上記計算が繰り返し実行され、一旦すべての計算がなされると、比較がなされ、その後、ページ毎のページ表示の数の選択がなされる。あるいは、そのような結果を表す値は、ルックアップテーブルに格納され、ルックアップテーブルに格納された値は、クイックページメッセージにおいて用いられるページ毎にページ表示の数を選択する際に、アクセスされ、用いられる。さらに、一旦選択されると、設定された数は、クイックページメッセージの形成にしたがって用いられる。
【００１４】
本発明の別の実施形態にしたがうと、設定されたページ毎のページ表示の数は、アクセスネットワークにおいて生成されたメッセージに含められ、アクセス端末に放送され、これにより、アクセス端末に、クイックページメッセージに含まれるページ毎のページ表示の数が通知される。
【００１５】
本発明の別の局面において、ハッシングは、ＣＤＭＡ２０００  ＥＶ−ＤＯオペレーティング仕様標準で規定されるセッションシードのように同じ入力数、他の擬似乱数、あるいはアクセス端末識別子（ＡＴＩ）のような別の入力数を用いて、アクセスネットワークとアクセス端末との双方で実行される。ハッシングは、アクセスネットワークとアクセス端末とで、同じ方法で、入力数に対して、独立に実行される。複数のハッシュは、例えば、入力数のビットシーケンスにローテーションを施して、異なるハッシュ値を生成することなどによって、異なる方法で、入力数をハッシングすることによって形成される。生成されたハッシュ値の数は、設定されたページ表示の数の表示と対応するか、あるいは、その値を表す。代替として、異なるハッシュ機能は、異なるハッシュを生成するために使用される。複数のハッシュの形成は、ときどき、本明細書において、マルチハッシングと称される。各ハッシュ機能動作は、アクセスネットワークとアクセス端末とで、同じ方法で実行される。それぞれのエンティティで生成されて、その結果得られるハッシュ値が、同一であるようにするためである。例えば、最初に、ハッシングが、ローテーションを施されない（ｎｏｎ−ｒｏｔａｔｅｄ）形式で、アクセスネットワークとアクセス端末との双方で、入力数に対して実行される。次いで、ビットがビットの第一の数によってローテーションを施された入力数に対して、再び、アクセスネットワークとアクセス端末との双方で、ハッシングが実行される。追加のハッシングが実行される場合、アクセスネットワークおよびアクセス端末の双方は、アクセスネットワークとアクセス端末との双方で同じように、入力数に対してハッシングを実行する。この入力数のビットは、さらにローテーションされる。ビットローテーションはまた、これらのハッシングされた値の相関がなくなるようにする。
【００１６】
本発明のさらなる局面において、ハッシングは、入力数に対して、入力数に対するハッシュ機能、またはアルゴリズムの動作によって実行される。ハッシュ機能は、例えば、時間変動性があるか、あるいは、一部の方法において、ハッシュ機能は、時間依存性のあるハッシュ値を生成する。そして、複数のハッシュ値が生成される場合、すなわち、ページ毎の設定されたページ表示の数が２以上である場合、ハッシュ値は、さらに非類似になるようにさせられる。つまり、複数のハッシュ値が生成されるとき、後で生成されるハッシュ値は、先に生成されたハッシュ値のいずれとも異なる値に生成させられる。
【００１７】
本発明の別の局面において、アクセスネットワークは、クイックページメッセージに含まれることになるページ毎に、ハッシュの数およびページ表示の数を識別して、特定のアクセス端末をページングする。アクセスネットワークによって、ページングメッセージ内の特定のアクセス端末に放送されるページ毎のハッシュまたはページ表示の数の表示を含む信号伝達メッセージが生成される。この信号伝達メッセージから、アクセス端末は、クイックページメッセージ内のアクセス端末に向けられることになるページ表示の数を確認する。この受信された数に応答して、アクセス端末は、ハッシュ値の適切な数を形成するために、入力数に対して、ハッシングを実行する。そして、このようなハッシュ値は、ページメッセージを受信したとき、ページメッセージ内の場所を識別して、ページ表示器の値を検出するためのページメッセージの解析に従って使用される。
【００１８】
本発明の別の局面において、アクセスネットワークによって実行されるハッシュの数と、それに対応して、アクセス端末で実行されるハッシュの数とは、選択可能な数であり、誤ったウェークアップの発生の可能性を最小化するように選択される。その数は、少なくとも一部において、他のアクセス端末でなされることになるページの数に基づいて選択される。そして、より一般的に、ハッシュの数は、通信システムにおける通信活動に応答する。多数のアクセス端末がページングされるとき、アクセス端末ごとのページ表示の数、およびハッシュ値の数は、例えば、小さな値である。そして、逆に、少数のアクセス端末のみがページングされるとき、ページ表示の数、およびハッシュ値の数は、例えば、大きい。一般的に、特定のアクセス端末に対するページメッセージにポピュレートされるハッシュ値の数、およびその結果としてのアクセス端末ごとのページ表示の数（すなわち、通信システムの動作の特定の期間の間に、他のアクセス端末になされる他のページの数）は、通信活動に反比例する。理想的には、ページ表示の数、およびアクセス端末ごとのハッシュ値は、誤ったウェークアップの確率を最小化する方法で選択される。
【００１９】
本発明の別の局面において、ハッシュ値は、ページ表示がポピュレートされるのは、ページメッセージのどこであるかを決定する。アクセスネットワークおよびアクセス端末で実行されるハッシングは、同じ方法で実行される。ページ表示値がポピュレートされるページメッセージのページ表示ロケーションは、アクセス端末で生成される同じハッシュ値であり、アクセス端末は、一度アクセス端末で受信されると、ページメッセージの対応するページ表示ロケーションを検出し、それを解析する。
【００２０】
本発明の別の局面において、ハッシュ値に対応するページ表示ロケーションをポピュレートするページ表示の値のいずれかが、アクセス端末がページングされていないことを表示する場合、そのアクセス端末は、スリープ状態に入る。例えば、アクセス端末が、そのアクセス端末がハッシングする任意のページ表示値を検出する場合、そのアクセス端末がページングされていないと判断し、そのアクセス端末は、スリープ状態に入る。それによって、アクセス端末は、より迅速に、節電スリープモードに入ることが可能になる。逆に、アクセス端末がページングされていることを表示するページ表示ロケーションをポピュレートするページ表示値をそのアクセス端末が識別し、クイックページメッセージにおいて、複数のページ表示がアクセス端末に放送されることをそのアクセス端末が知る場合、そのアクセス端末は、そのアクセス端末がハッシングする別のページ表示ロケーションの中にある同じページ表示値をモニタする。第一のポジティブな表示が誤った表示である場合、アクセス端末がページングされていると最終的に判断を下す前に、第二または他のページ表示ロケーションをモニタすることは、誤ったウェークアップの発生する可能性を減らす。これによって、アクセス端末は、誤ったウェークアップの表示に応答する通信を受信しても、活性状態に入らない。アクセス端末の電力消費特性が改善され、その結果、より良好な電池寿命を提供する。
【００２１】
したがって、これらの局面および他の局面において、通信ネットワークにおいて、第一のメッセージに含まれるページ毎にページ表示のページ表示カウントを選択するための装置および関連方法が提供される。通信活動の入力インディシアの識別子は、通信ネットワークの通信活動の入力インディシアを識別するように構成される。ページ表示カウントのセレクタは、通信活動の入力インディシアの識別子による、通信活動の入力インディシアの識別の表示を受信することに適合化される。ページ表示カウントのセレクタは、第一のメッセージにおけるページ表示カウントを選択するように構成される。一部では、通信活動の入力インディシアに応答して、ページ表示カウントのセレクタにより、選択がなされる。
【００２２】
したがって、これらおよびさらなる局面において、第一のメッセージを受信するための第一のチャネルをモニタする、アクセス端末用のさらなる装置および関連方法が提供される。第一のメッセージのコンテンツ検出器は、アクセス端末に送達されるときに、第一のメッセージを検出するように構成される。第一のメッセージは、ページ表示のページ表示カウントを含む。ハッシャは、ハッシュ値の選択された数を生成するように構成される。ハッシュ値の選択された数は、ページ表示カウントに応答したものである。
【００２３】
本発明は、さらに、以下の手段を提供する。
【００２４】
（項目１）
通信ネットワークで、第一のページメッセージの中に含まれるべきページ毎のページ表示のページ表示カウントを選択する装置であって、該装置は、
該通信ネットワークの通信活動入力インディシアを識別するように構成された通信活動入力インディシア識別子と、
該通信活動入力インディシアの該通信活動入力インディシア識別子による識別の表示を受信するように適合されたページ表示カウントセッタであって、該ページ表示カウントセッタは、該第一のページメッセージの中の該ページ表示カウントを選択するように構成され、選択は、その一部において、該通信活動入力インディシアに応答する該ページ表示カウントセッタによってなされる、ページ表示カウントセッタと
を備える、装置。
【００２５】
（項目２）
上記通信活動入力インディシアは、上記通信ネットワークの中のページング活動を定量化する量を備える、項目１に記載の装置。
【００２６】
（項目３）
上記通信ネットワークの中の上記ページング活動を定量化する上記量は、選択された期間内に、上記通信ネットワークによって放送されるべきアクセス端末ページの数を代表する値を備える、項目２に記載の装置。
【００２７】
（項目４）
上記通信活動入力インディシアの上記通信活動入力インディシア識別子による識別の表示を受信するように適合されたページ表示量セレクタであって、該ページ表示量セレクタは、上記第一のページメッセージの中に含まれるページ表示の量を選択するように構成され、該ページ表示の量は、該通信活動入力インディシアに関連する該ページ表示量セレクタによって選択される、ページ表示量セレクタをさらに備える、項目１に記載の装置。
【００２８】
（項目５）
上記第一のページメッセージは、ページ表示ロケーションの選択された数によって規定される選択されたメッセージ長さであり、
上記ページ表示カウントセッタによって選択された上記ページ表示カウントは、上記第一のページメッセージの該選択されたメッセージ長さに、さらに応答する、項目１に記載の装置。
【００２９】
（項目６）
上記第一のページメッセージの上記選択されたメッセージ長さを識別するように構成されたメッセージ長さ識別子をさらに備える、項目５に記載の装置。
【００３０】
（項目７）
上記メッセージ長さ識別子によって識別された上記選択されたメッセージ長さは、設定値を備える、項目６に記載の装置。
【００３１】
（項目８）
上記ページ表示カウントセッタは、計算を実行する計算機を備え、その結果は、上記ページ表示カウントを選択するために使用される、項目１に記載の装置。
【００３２】
（項目９）
上記計算機によって実行された計算は、上記通信活動入力インディシアの代表的な１つの変数を含む複数の変数に対する反復演算を備える、項目８に記載の装置。
【００３３】
（項目１０）
上記ページ表示カウントセッタは、複数の格納された値を含むテーブルを含むように構成されたストレージエレメントを備え、該格納された値は、少なくとも上記通信活動入力インディシアおよび利用可能なページ表示カウントの代表の観点から、インデックスされる、項目１に記載の装置。
【００３４】
（項目１１）
上記ページ表示カウントセッタによる上記表示カウントの選択は、上記第一のページメッセージの通信に従って、誤ったウェークアップの発生を最小化するようになされる、項目１に記載の装置。
【００３５】
（項目１２）
上記ページ表示カウントを代表する値を含む送信メッセージを生成するように構成されたページ表示カウントメッセージ生成器をさらに備える、項目１１に記載の装置。
【００３６】
（項目１３）
上記ページ表示カウントメッセージによって生成された送信メッセージは、上記第一のページメッセージの一部を備える、項目１２に記載の装置。
【００３７】
（項目１４）
上記ページ表示カウントセッタによってなされる選択は、上記通信活動入力インディシアを代表する値にのみ依存する、項目１に記載の装置。
【００３８】
（項目１５）
第一のメッセージを受信するための第一のチャネルをモニタするアクセス端末用の装置であって、該装置は、
該第一のメッセージが該アクセス端末に送達されるとき、該第一のメッセージを検出するように構成された第一のメッセージコンテンツ検出器であって、該第一のメッセージは、ページ表示のページ表示カウントを含む、第一のメッセージコンテンツ検出器と、
ハッシュ値の選択された数を生成するように構成されたハッシャであって、該ハッシュ値の選択された数は、該ページ表示カウントに応答する、ハッシャと
を備える、装置。
【００３９】
（項目１６）
通信ネットワークで、第一のページメッセージの中に含まれるべきページ毎のページ表示のページ表示カウントを選択する方法であって、該方法は、
該通信ネットワークの通信活動入力インディシアを識別する動作と、
該第一のページメッセージの中の該ページ表示カウントを選択する動作であって、選択は、その一部において、該識別する動作の間に識別された該通信活動入力インディシアに応答する、動作と
を包含する、方法。
【００４０】
（項目１７）
上記識別する動作の間に識別された上記通信活動入力インディシアは、選択された期間内に、上記通信ネットワークによって放送されるべきアクセス端末ページの数を代表する値を備える、項目１６に記載の方法。
【００４１】
（項目１８）
上記第一のページメッセージは、ページ表示ロケーションの選択された数によって規定される選択されたメッセージ長さであり、上記選択する動作の間に、選択された上記ページ表示カウントは、該選択されたメッセージ長さに、さらに応答する、項目１６に記載の方法。
【００４２】
（項目１９）
上記選択する動作は、上記第一のページメッセージの通信に従って、誤ったウェークアップの発生を最小化するように、上記ページ表示カウントを選択する、項目１６に記載の方法。
【００４３】
（項目２０）
送信メッセージを生成する動作であって、該送信メッセージは、上記選択する動作の間に、選択された上記ページ表示カウントの代表を含む、動作をさらに包含する、項目１６に記載の方法。
【００４４】
（摘要）
無線通信システムにおいて、アクセス端末をページングする装置、および関連方法。ページ表示カウントセッタは、クイックページメッセージの中に含まれるべきページ表示カウント（すなわち、ページ毎のページの数）を選択する。設定されたページ表示カウントは、通信活動入力インディシア識別子によって識別される通信活動（例えば、システムページングロード）に依存する。
【発明を実施するための最良の形態】
【００４５】
それゆえ、最初に、図１を参照すると、１０で全体的に示される無線通信システムは、アクセス端末１２が例示的であるアクセス端末との通信を提供する。通信システムは、マルチユーザ通信システムを形成し、このシステムは、典型的に、多数のアクセス端末および複数の同時に流れる通信ダイアローグを含む。単一のアクセス端末のみが図１に示されているが、アクセス端末１２に類似する追加のアクセス端末が、典型的に、通信システムの一部分を形成する。
【００４６】
通信は、アクセス端末と無線ネットワーク１４との間で実行される。この無線ネットワーク１４は、基地トランシーバ局（ＢＴＳ）１６および基地局コントローラ（ＢＳＣ）１８のような固定ネットワークのインフラエレメントから形成される。アクセスネットワークは、そのアクセスネットワークとの通信が可能である地理的エリアを包囲する。すなわち、アクセス端末がアクセスネットワークによって包囲されるエリア内に置かれるとき、そのアクセス端末は、一般的に、そのアクセスネットワークと通信することができ、そのアクセスネットワークは、典型的に、そのアクセス端末と通信することができる。
【００４７】
通信システムは、適切な通信仕様標準のオペレーティングプロトコルおよびパラメータに、概ね従って、動作可能である。本明細書で述べられる説明は、例示的なものであり、本発明の様々な実施形態の教示は、様々なタイプの通信システムの任意のものにインプリメント可能である。
【００４８】
上述のように、ネットワークで開始された通信がアクセス端末で終端となるとき、そのアクセス端末は、ページメッセージの放送によって警告される。クイックページングチャネル（ＱＰＣＨ）、または類似のチャネルが、規定される。クイックページメッセージをポピュレートするクイックページ表示は、アクセス端末がページングされているかどうかを識別する値からなる。しかしながら、これもまた上述のように、特に、使用量の多い（ｈｅａｖｙ  ｕｓａｇｅ）間に、アクセス端末の誤ったウェークアップが発生し得る。これは、一つのアクセス端末に意図されたメッセージ内のクイックページ表示が、複数のアクセス端末のうちの別の一つのアクセス端末によってもまた使用されるスロット内で、放送されることによる。誤ったウェークアップは、アクセス端末が節電スリープモードに入るのを妨害する。
【００４９】
それゆえ、本発明の実施形態に従うと、アクセスネットワークは、装置２４を含み、アクセス端末は、装置２６を含み、これらの装置は、誤ったウェークアップの発生する可能性を低下させるように動作する。装置２４および装置２６のエレメントは、機能的に表わされ、任意の所望の方法で、例えば、処理回路網によって実行可能なアルゴリズムによって、インプリメント可能である。
【００５０】
装置２４を形成するエレメントは、アクセスネットワーク１４の任意の適切なロケーションにインプリメントされ、図示されるように、ＢＴＳ１６およびＢＳＣ１８でインプリメントされるか、あるいは、このようなエンティティおよび他のエンティティの中に分散されることを含む。
【００５１】
ここで、装置２４は、アクセス端末決定器３２ごとのハッシュ／ページ表示の量を含む。決定器は、入力インディシアとして、ライン３４上のネットワーク活動の表示を受け取るように結合される。ネットワーク活動は、例えば、ページ値の数として、定量化される。そのネットワークは、例えば、ページングされるアクセス端末の数を認識する。あるいは、ページ値の数は、例えば、予期されるページの数、今までのページの平均数、または他のページング量のインディシアを備える。クイックページメッセージの特性、すなわち、メッセージのページ表示ロケーションの数は、決定器にも知らされる。ここで、ライン３５は、そのような情報が決定器に提供されることを表している。メッセージの特性が静的（ｓｔａｔｉｃ）である例示的なインプリメンテーションにおいて、ページ表示ロケーションの数（例えば、３３個のページ表示ロケーション）は、決定器の格納エレメントにおいて維持されるか、決定器によってアクセスされる。ネットワーク活動の表示に応答して、決定器は、生成されることになるハッシュの数と、クイックページングメッセージ内にアクセス端末のページングに従って提供されることになるページ指示の数とを決定する。代替的なインプリメンテーションにおいて、ハッシュ値の数は、例えば、１より大きな固定数である設定された数である。固定数２は、例えば、クイックページメッセージ内のページ表示ロケーションの数が、約１８０であるとき、良好に機能すると思われる。ハッシュ値の数とページ表示の数とは対応する。決定された量の表示は、信号伝達メッセージ生成器およびハッシュ生成器、「ハッシャ（ｈａｓｈｅｒ）」３８に提供される。
【００５２】
アクセスネットワークとアクセス端末との双方に知られる数（例えば、セッションシード、または他の擬似乱数、あるいはアクセス端末識別子（ＡＴＩ）のような数）が、ここではライン４２によって表わされるように、ハッシュ生成器に提供される。ハッシュ生成器は、数をハッシングする。すなわち、ハッシュ機能は、数に対して実行され、ハッシュ値を生成する。異なるハッシュ値が、例えば、ハッシュ生成器に提供される数にローテーションを施して、ハッシュ機能またはアルゴリズムをその数に対して実行することによって、提供される。複数のハッシュ値が、例えば、数に複数回ローテーションを施す動作によって生成される。理想的なハッシュ機能を用いると、全ての値は、等しいように生成される。例示的なハッシュ機能は、数学的な「モジュロ（ｍｏｄｕｌｏ）」演算を備える。システムクロック時間のように、アクセスネットワークとアクセス端末との双方に知られる時間ファクタは、一つの実施形態において、ハッシュ生成器にさらに提供され、そのハッシュ生成器によって、ハッシュ値の形成に使用される。このようなファクタは、図１のライン４３によって示される。
【００５３】
決定器３２によって決定された値が提供される信号伝達メッセージ生成器３６は、決定器によって決定される量を識別する信号伝達メッセージを生成する（ここではライン４５上に生成される）。信号伝達メッセージは、アクセス端末１２に放送され、これによって、決定された量をアクセス端末に警告する。信号伝達メッセージ生成器は、ＱＰＣＨ生成器と関連して動作し得、ＱＰＣＨメッセージにその量を含み得る。ハッシュ生成器３８によって生成されたハッシュ値は、ページ表示ポピュレータ４８に提供される。ページ表示ポピュレータ４８はまた、ネットワーク通信リクエストも提供され、ここでは、ライン５２によって提供される。ページ表示ポピュレータは、そのアクセス端末がページングされることになるかどうかに依存して、ページ表示値を選択する。例えば、アクセス端末がページングされることになるとき、そのページ表示値は、論理値「１」である。一つのインプリメンテーションにおいて、全ての値が、初期に論理値「０」であり、次いで、適切なように設定される。ページ表示値とそれらの関連するページ表示ロケーションは、ハッシュ生成器３８によって生成されたハッシュ値によって規定され、ＱＰＣＨ、または他に、メッセージ生成器５４に提供される。メッセージ生成器は、複数のページ表示ロケーションを含むページメッセージを形成する。ページ表示ポピュレータは、ページ表示値を用いて、メッセージの選択されたページの表示ロケーションをポピュレートする。ページ表示値を用いて、ポピュレートされた表示ロケーションは、ハッシュ生成器３８によって生成されたハッシュ値によって決定される。このような方法で、ページ表示は、他のアクセス端末に対して形成され、ハッシュ値は、ページメッセージ内のどこに、他のアクセス端末に対して意図されるページ表示が、メッセージ生成器５４によって生成されたメッセージ内にポピュレートされるかを規定するように生成される。その結果得られるメッセージが、アクセスネットワークによって放送されるとき、アクセス端末１２のようなアクセス端末は、そのアクセス端末がページングされることになっているかどうかの表示を提供される。
【００５４】
基地トランシーバ局１６のトランシーバエレメントは、無線インターフェース上で、装置２４のメッセージ生成器５４によって生成されたメッセージの放送をし、このことは、矢印６２によって図１に示されている。メッセージは、アクセス端末１２と、その放送メッセージの受信範囲内にある他のアクセス端末とに配信される。アクセス端末１２は、ここで、受信部６４および送信部６６によって表わされるトランシーバ回路網を含む。受信部６４は、この受信部に送信される信号（例えば、アクセスネットワークの装置２４によって生成されたメッセージ）を受信するように動作する。そして、検出された信号のうちの特定の信号が、装置２６に提供される。ここで、重要なのは、アクセスネットワークの信号伝達メッセージ生成器によって生成された信号伝達メッセージの検出と、メッセージ生成器５４によって生成されたページメッセージの検出とである。
【００５５】
表示は、信号伝達メッセージ検出器・解析器６８に提供される。検出器・解析器は、信号伝達メッセージのコンテンツを検出し、検出されたメッセージを解析し、メッセージ内に表示されるアクセス端末当たりのハッシュの数またはページ表示を確認するように動作する。表示は、ここではライン７２によって、ハッシュ生成器７４に提供される。ハッシュ生成器は、また、入力数の値を提供される。入力数は、ここで、アクセスネットワークとアクセス端末との双方によって知られ、ここでは、ライン７６によって提供されるように示される。アクセスネットワークとアクセス端末との双方によって知られる時間ファクタもまた、生成器７４に提供され、ここではライン７７によって示される。ハッシュ生成器は、アクセスネットワークのハッシュ生成器３８の動作に類似した方法で動作し、入力数に対して、ハッシュ機能を実行する。そして、そのハッシュ生成器に提供された入力数は、ライン４２上のハッシュ生成器３８に提供される入力数に対応する。ハッシュ生成器によって生成されたハッシュ値の数は、検出器・解析器６８によって識別される数に対応する。ハッシュ生成器によって生成されるハッシュ値は、ＱＰＣＨ（クイックページングチャネル）に、あるいは他に、ページメッセージ検出器８２に提供される。ハッシュ生成器によって生成されたハッシュ値は、ページメッセージ検出器によってモニタされるべきページ表示ロケーションがどれであるかを識別し、ページがアクセス端末に放送されるかどうかを判断する。アクセスネットワークによって放送され、アクセス端末によって検出され、アクセス端末上で動作されるメッセージは、アトミック（ａｔｏｍｉｃ）なメッセージである。すなわち、ビットの全ては、単一のメッセージ内で受信される。検出器によってなされた検出に応答して、表示がアクセス端末（ＡＴ）状態コントローラ８４に提供され、アクセス端末が置かれている状態を制御する。
【００５６】
メッセージ検出器によってモニタされる第一のクイックページ表示スロットが、アクセス端末に放送されるページメッセージがないことを示す場合、状態コントローラは、そのアクセス端末をスリープモードに置く。検出器によってモニタされるクイックページ表示スロットの第一のスロットは、ページが放送されていることを表示するが、検出器によってモニタされるクイックページ表示スロットの第二のスロットは、ページを有していないことを表示する場合、状態コントローラはまた、そのアクセス端末を低電力スリープモードに入れる。スロットが３つ以上ある場合、追加のページ表示が、同様にモニタされる。１つ以上の追加クイックページ表示がモニタされ、ページがアクセス端末に送信されたかどうかのさらなる指示を提供すると、誤ったウェークアップの発生は、低減される。
【００５７】
図２は、図１に示されるアクセスネットワーク１４の装置２４の一部を形成する量決定器３２の図を示す。ここでは、決定器は、入力インディシア表示器８８、ページ表示量セレクタ８９、ページ表示カウントセッタ９０、およびストレージエレメント９２を含むように示される。決定器のエレメントは、機能的に表示されており、任意の所望の方法でインプリメント可能である。任意の所望の方法には、処理回路網によって実行可能なアルゴリズムによる方法が含まれる。
【００５８】
ここでも、ライン３４および３５は、ネットワーク活動およびクイックページメッセージ特性をそれぞれ代表する。インディシア識別子８８は、ライン３４および３５上にあるような自身に提供される値を捻出するように動作し得る。クイックページメッセージ特性が格納されるインプリメンテーションにおいて、格納された値は、例えば、ストレージエレメント９２にアクセスすることによって、抽出される。通信活動入力インディシアは、例えば、選択された期間内に、ページングされている、あるいはページングされることになるアクセス端末の数を識別する値を形成する。そして、クイックページチャネルメッセージのページ表示ロケーションの数は、例えば、３３のような数を形成する。
【００５９】
識別子によって識別される通信活動入力インディシアの表示は、ページ表示量セレクタ８９によって、ページ表示カウントセッタに提供される。ページ表示量セレクタは、ここでは、識別子８８によって識別された入力特性に応答して、第一のクイックページメッセージの中に含まれるページ表示の量を選択するように動作する。例えば、１６個のアクセス端末がページングされている場合、クイックページメッセージの中に含まれるページ表示の数は、アクセス端末に関連し、おそらく、異なるアクセス端末に対して生成されたページ表示とページ表示との間での衝突に起因する低い値である。
【００６０】
そして、ページ表示カウントセッタに適用されるとき、入力インディシアの表示、あるいはセレクタによって選択されたページ表示量は、クイックページメッセージの中に含まれることになるページ毎のページ表示の数を選択するために使用される。一つの実施形態において、カウントセッタは、以下の式：
Ｆ＝（ｂ／ｎ）ｐ
に従って、誤ったウェークアップの確率を計算するように演算する計算機を含む。ここで、
Ｆは、誤ったウェークアップの確率であり、
ｂは、設定されたページ表示（ＰＩ）の数であり、
ｎは、ページング表示器に対して利用可能なビット数であり、そして、
ｐは、ページ毎のページ表示の数である。
【００６１】
一例として、クイックページメッセージは、ページ表示に対して利用可能な３３のビットを含み、１６個のアクセス端末が、ページングされている。１つのページ毎に１つのページ表示が提供されるシナリオにおいて、設定されるページ表示の数は、例えば、１３であり、ここでは、２つ以上のアクセス端末が、クイックページメッセージの中の同じページ表示にハッシングすることが、３つの衝突で表わされる。この例において、誤ったウェークアップの確率は、０．３９３９である。別の例において、１つのページ毎に２つのページ表示で、２０のページ表示が設定される。ここでも、クイックページチャネルは、３３のページ表示ロケーションを含む。この例において同じ計算を実行すると、誤ったウェークアップの確率は、０．３６７３である。値の他の組み合わせは、他の誤ったウェークアップの確率の計算値を算出する。これらの計算を終えると、これらの結果が比較される。最も小さい誤ったウェークアップの確率を算出する値が、識別される。そして、識別された最も低い誤ったウェークアップの確率の値と関連するページ毎のページ表示の数が、使用されるべきページ毎のページ表示の数として選択される。このような値は、前述のように、ライン４４上に生成される。
【００６２】
別のインプリメンテーションにおいて、代替的に、複数の可能な組み合わせに対する計算が、事前に計算され、ストレージエレメント９２に含まれるルックアップテーブル９４に格納される。ルックアップテーブルのコンテンツは、アクセスされ、そこに格納された異なる値の間で、比較される。これらは、全て、クイックページチャネルメッセージの中に含まれるべきページ毎のページ表示の数を決定するためである。
【００６３】
図３は、例示的なテーブル９４を示し、これは、ストレージエレメント９２に格納されるルックアップテーブルの例示であり、クイックページチャネルメッセージの中で使用されることになるページ毎のページ表示の数を選択するページ表示カウントセレクタによってアクセスされる。ルックアップテーブルは、複数の列を含み、これらの列のそれぞれは、ページ毎のページ表示の数をインデックスする。そして、ルックアップテーブルは、複数の行を含み、これらの行のそれぞれは、ページ表示の設定数を示す。ページ毎のページ表示の数の比較と選択は、引き続いて生成されるクイックページメッセージの中で使用されることになる。
【００６４】
図４は、図１に示される通信システム１０において、例示的な動作に従う、誤ったウェークアップの発生とページの数との間の関係を示すグラフ図を示し、全体的に１０２で示される。プロット１０４は、マルチユーザ通信スキームにおけるアクセス端末に対するページの数と、誤ったウェークアップの発生との間のほぼ比例的な関係を示しており、確率の観点から表わされている。プロット１０４−１、１０４−２、１０４−３、および１０４−４の４つのプロットが示される。プロット１０４−１は、単一のページ表示が、ページメッセージ内で、特定のアクセス端末に提供され、そのアクセス端末にページを警告するために、提供されるときの関係を表現する。単一のハッシュ値が生成され、ページ表示は、その単一のハッシュ値によって決定された単一のページ表示ロケーション内にポピュレートされる。プロット１０４−２は、ページメッセージの中に提供され、特定のアクセス端末に、ページを警告する、２つのページ表示ビットを表現する。２つのハッシュ値が生成され、ページ表示が置かれているページ表示ロケーションは、この２つのハッシュ値によって決定される。プロット１０４−３は、３つのページ表示をページメッセージの中で使用して、特定のアクセス端末に、ページを警告することを表現する。３つのハッシュ値が生成され、これらの値は、ページ表示がポピュレートされる３つのページ表示ロケーションの位置決めの決定要因である。そして、プロット１０４−４は、４つのページ表示が、そのアクセス端末にページングするために、ページメッセージの中で使用されるときの誤ったウェークアップの発生の間の関係を表現する。
【００６５】
プロットを再吟味すると、通信システム（すなわち、ネットワーク活動）におけるページの所与の数に対して、誤ったウェークアップについての最も低い確率を提供するページメッセージ内のページ表示の数は、ページの数とともに変動することが示される。本発明の実施形態の動作に従うと、アクセス端末ごとに使用するページ表示の数の選択におけるこの関係から、メリットが得られる。このような選択は、例えば、図１に示される決定器３２によってなされる。選択は、誤ったウェークアップの確率を最小化するような方法でなされる。ページの数（すなわち、ネットワーク活動）のそれぞれに対して、選択が、クイックページメッセージにおいて、アクセス端末をページングするのに使用されることになるページ表示の数からなされる。例えば、図４に示されるプロット１０４に類似するプロットを用いて、ページの数（すなわち、ネットワーク活動）のそれぞれに対して最も低い曲線が、選択される。解析によれば、ページの数が比較的小さいとき、誤ったウェークアップが起こる確率が最も低いのは、アクセス端末ごとに、より大きな数のページ表示が利用されるときであることが示される。逆に、ページの数（すなわち、ネットワーク活動）がより大きいときは、より小さな数のページ表示が、誤ったウェークアップが起こる最も低い確率を提供する。切り替え（ｃｈａｎｇｅｏｖｅｒ）は、プロットが互いに交差するときの図４の表現に示されるように、様々な閾値で生じる。
【００６６】
アクセスネットワークで、決定および選択が一度なされると、その選択の表示がアクセス端末に提供される。ページ表示の数は、アクセスネットワークとアクセス端末との双方で知られているので、協調した方法で、装置２４および２６が動作することを可能にする。例示的なインプリメンテーションにおいて、クイックページメッセージをポピュレートするページ表示値は、同じメッセージの中で全て受信される。アクセス端末は、別々のビットに対して異なる時間にウェークアップする必要はない。メッセージのビットの全てが、同じメッセージの中で同時に受信されるからである。さらに、同じページ表示器の値は、以前に利用されたように、複数の物理的なグループに分割する代わりに、ハッシングされる。そして、ハッシュ値で規定されるページ表示ロケーションは、ページ表示ロケーションが非類似であるような方法で生成されることがさらに可能である。ハッシュ値の生成に使用される入力数のローテーションにより、これらのハッシュ値には相関がなくなり、また、ハッシュ機能に時間変動を導入すると、ハッシュ値の非類似性が提供される。
【００６７】
図５は、全体的に１０８で示される例示的なクイックページメッセージを示す。このメッセージは、例えば、図１に示される構成に関して、メッセージ生成器５４で生成される。クイックページメッセージは、複数（ここでは３３）のページ表示ロケーション１１２を含み、これらは１〜３３で番号付けされている。当初、各ページ表示ロケーションは、論理値「０」に設定される。４つのアクセス端末１２に対するページ表示は、ＡＴ１、ＡＴ２、ＡＴ３、およびＡＴ４で識別され、メッセージ１０８の中に表わされる。ハッシュ生成器は、アクセス端末ＡＴ１に対して、８および６のハッシュ値を生成する。そして、ページ表示ロケーション８および６は、アクセス端末ＡＴ１がページングされているかどうかを表示するための値でポピュレートされる。ここで、論理値「１」は、ＡＴ１がページングされることを識別するページ表示ロケーション８および６に挿入される。同様に、アクセス端末ＡＴ２に関して、ハッシュ生成器は、７および２１のハッシュ値を生成し、ページ表示は、アクセス端末ＡＴ２がページングされることを識別するページ表示ロケーション７および２１に挿入される。アクセス端末ＡＴ３に対して生成されたハッシュ値２１および１３は、アクセス端末ＡＴ３がページングされていることを識別するページ表示ビットで、ページ表示ロケーション２１および１３がポピュレートされるようにする。そして、アクセス端末ＡＴ４に対して生成されたハッシュ値２５および３は、この場合もまた、アクセス端末ＡＴ４がページングされていることを識別するために、ページ表示ロケーション２５および３が、ページ表示ビットでポピュレートされるようにする。このインプリメンテーションにおいて、メッセージ１０８のページ表示ロケーションのうちの任意のものは、アクセス端末のうちの任意のものと関連したページ表示ビットで、ポピュレートされるように利用可能である。そして、ページ表示ロケーション２１で指示されるように、ページ表示ロケーションは、アクセス端末のうちの２つ以上と関連するページ表示ビットを含み得る。理想的に、ハッシュ生成器は、メッセージ１０８全体にわたってページ表示値が均一に、すなわち、均等に分布することを可能にするハッシュ値を生成する。特定のアクセス端末に対する各ハッシュは、従来の手順とは対照的に、同じページ表示ロケーションにわたってハッシングする。そして、時間ファクタの使用によって、特定のアクセス端末に対して、同様の値のハッシュ値の繰り返し生成と、同じページ表示ロケーションが対応してポピュレートされることの発生が、起こりにくくなる。
【００６８】
図６は、ここでは、全体的に１１６で示される別のメッセージを示す。このメッセージもまた、３３のページ表示ロケーション１１２を含み、これらのロケーションは、ここでもまた、ページアクセス端末ＡＴ１、ＡＴ２、ＡＴ３、およびＡＴ４に、ページ表示値でポピュレートされる。ここで、メッセージは、第一のグループ１１８と第二のグループ１２２との２つのグループに分割される。最初に、ここでもまた、各ページ表示ロケーションは、論理値「０」に設定される。このインプリメンテーションにおいて、１グループ当たり単一のページ表示ロケーションのみが、特定のアクセス端末と関連するページ表示器の値に利用可能である。すなわち、アクセス端末ＡＴ１に関して、第一のグループにおける単一のページ表示ロケーションが利用可能であり、第二のグループにおける単一のページ表示ロケーションが利用可能である。ハッシュ値生成器によって生成されるハッシュ値が第一のグループ内の値であるとき、別のハッシュ値は、第二のグループ内の値であるはずである。理想的には、ハッシュ生成器は、メッセージの各グループにわたるページ表示値の均一な分布を可能にするハッシュ値を生成する。そして、図６の表示に示されるように、ページ表示ロケーションは、第一のグループおよび第二のグループのアクセス端末のそれぞれに対して利用可能である。図６に示される例は、２つのページ表示ビットがアクセス端末ごとのページメッセージ内で利用可能であるインプリメンテーションに対するものである。追加のページ表示ビットが利用可能な場合、ページメッセージは、実質的に等しいサイズの追加の個数のグループに分割され、対応するように、ページ表示ロケーションは、追加の個数のグループのそれぞれに、利用可能にされる。図６に示されるメッセージが生成されるインプリメンテーションにおいて、誤ったウェークアップの確率は、以下の等式で規定される。
【００６９】
Ｆ＝ｂ１／ｎ１×ｂ２／ｎ２×・・・ｂｎ／ｎｎ
ここで、ｂおよびｎの値は、各グループの１〜ｎに対して変化する。
【００７０】
図７は、ハッシュ生成器が別の実施形態に従って動作するクイックページメッセージ１２６と方法を示す。ここで、４つのページ表示ロケーションが、３３ビットのクイックページメッセージにわたって、アクセス端末ＡＴ１に対して利用可能とされる。そして、ここでもまた、各ページ表示ロケーションは、初期に、論理値「０」に、設定される。ハッシュ値が選択され、そのハッシュ値から決定されたページ表示ロケーション１１２が、使用されるとき、そのページ表示ロケーションは、そのアクセス端末（そのアクセス端末で、メッセージを別のページ表示値を用いてポピュレートする）で、もはや利用可能でない。つまり、ハッシュ値は、そのアクセス端末に対して繰り返され得ない。図７に示される表現において、第一のページ表示値は、ページ表示ロケーション１０の中にポピュレートされる。ここでもまた、理想的には、ハッシュ生成器は、利用可能なページ表示ロケーションの全てにわたって、ページ表示が均一に分布することを可能にするハッシュ値を生成する。以下に述べるように、ページ表示ロケーションが使用されるとき、そのロケーションは、もはや利用可能でなくなる。ページ表示ロケーション１０は、アクセス端末ＡＴ１に対して、もはや利用可能でなくなる。次に生成されたハッシュ値は、１１の値であり、ページ表示ビットは、ページ表示ロケーション１１に挿入される。その後、ページ表示ロケーション１０も１１も利用可能でなくなる。引き続き生成されるハッシュ値の２０は、そのページ表示値が、ページ表示ロケーション２０に挿入されるようにする。そして、その後、ページ表示ロケーション１０、１１、および２０は、もはや利用可能でなくなる。第四番目に生成されるハッシュ値の５が生成されると、ページ表示ロケーション５が、ページ表示値でポピュレートされる。このインプリメンテーションにおいて、時間ファクタの使用は、一般的に要求されない。
【００７１】
図８は、全体的に１３２で示され、第一のページメッセージの中に含まれるべき、ページ毎のページ表示のページ表示カウントを選択するための本発明の実施形態の例示的な動作を表わす方法流れ図を示す。
【００７２】
最初に、そして、ブロック１３４によって示されるように、通信ネットワークの通信活動入力インディシアが識別される。次いで、ブロック１３６によって示されるように、第一のページメッセージの中のページ表示カウントが選択される。この選択は、部分的に、識別された通信活動入力インディシアに応答する。
【００７３】
これによって、本発明の実施形態の動作を介して、アクセス端末は、ページがそのアクセス端末に放送されるかどうかの判断をより良好に、より迅速にすることが可能になる。迅速なページメッセージ、つまり、アクセス端末がハッシングするページ表示ロケーションが、アクセス端末がページングされているという表示を含まない場合、アクセス端末は、電力削減モードに入る。誤ったウェークアップの発生は、複数のクイックページング表示スロットをマルチハッシングすることによって、より生じにくくなる。
【００７４】
以上の記述は、本発明をインプリメントするための好ましい実施例についての記述であり、本発明の範囲は、この記述から必ずしも限定されるべきではない。本発明の範囲は、以下の請求項によって規定される。
【図面の簡単な説明】
【００７５】
【図１】図１は、本発明の実施形態が動作可能である無線通信システムの機能的なブロック図を示す。
【図２】図２は、図１に示される通信システムの一部を形成する量決定器の機能的なブロック図を示し、該量決定器は、本発明の実施形態にしたがって動作する。
【図３】図３は、量決定器の格納エレメントに格納される例示的な表を示し、該表は、本発明の動作の間にアクセスされる。
【図４】図４は、様々な数のハッシュに対するマルチユーザ通信システムにおいて、ページ数の関数として、誤ったウェークアップの発生確率との間の関係をグラフ図に示す。
【図５】図５は、本発明の例示的な実施形態の動作に従って生成される例示的なクイックページメッセージを示す。
【図６】図６は、本発明の別の例示的な実施形態の動作に従って生成される例示的なクイックページメッセージを示す。
【図７】図７は、本発明の別の例示的な実施形態の動作に従う例示的なクイックページメッセージの形成を示す。
【図８】図８は、本発明の実施形態の動作の方法を表わす方法流れ図を示す。
【符号の説明】
【００７６】
１０  無線通信システム
１２  アクセス端末
１４  無線ネットワーク
１６  基地トランシーバ局（ＢＴＳ）
１８  基地局コントローラ（ＢＳＣ）
２４、２６  装置
３２  アクセス端末決定器
３６  信号伝達メッセージ生成器
３８、７４  ハッシュ生成器、ハッシャ
４８  ページ表示ポピュレータ
５４  メッセージ生成器
６４  受信部
６６  送信部
６８  信号伝達メッセージ検出器・解析器
８２  ＱＰＣＨページメッセージ検出器
８４  アクセス端末（ＡＴ）状態コントローラ
８８  入力インディシア表示器
８９  ページ表示量セレクタ
９０  ページ表示カウントセッタ
９２  ストレージエレメント
９４  ルックアップテーブル
【図１】
2008054316.tif 000003
【図２】
2008054316.tif 000004
【図３】
2008054316.tif 000005
【図４】
2008054316.tif 000006
【図５】
2008054316.tif 000007
【図６】
2008054316.tif 000008
【図７】
2008054316.tif 000009
【図８】
2008054316.tif 000010